(57)【特許請求の範囲】
【請求項１】
犬の足に履かせる犬用履物であって、犬の足が歩行の際に地面と接する接地面に配される底部と、この底部と一体的に設けられ、底部とともに犬の足のつま先部分のみを覆うカバーと、上記底部から延設される延長部分と、上記延長部分に連結され、犬の足首に巻き回す巻き回し部材とを備え、
上記カバー２は、犬のつま先部分のみを覆うために、開口２ａが犬の足のつま先部分と土踏まず部分との間の犬の足の関節Ａを通るラインＬよりもつま先側に近い位置にあるようにその幌部分１２により形成されるとともに、上記巻き回し部材は、足の関節Ａよりも上方に配するようにして、上記つま先部分と土踏まず部分との間の犬の足の関節Ａの動きを拘束する部材がない状態にし、
上記巻き回し部材を犬の足首に巻き付けたとき、当該延長部分が犬の足のかかと部分に沿って湾曲するように装着されることを特徴とする犬用履物。
【請求項２】
犬の足に履かせる犬用履物であって、犬の足が歩行の際に地面と接する接地面に配される底部と、この底部と一体的に設けられ、底部とともに犬の足のつま先部分のみを覆うカバーと、上記底部から延設される延長部分と、上記カバーに連結され、犬の足首に巻き回す巻き回し部材とを備え、
上記カバー２は、犬のつま先部分のみを覆うために、開口２ａが犬の足のつま先部分と土踏まず部分との間の犬の足の関節Ａを通るラインＬよりもつま先側に近い位置にあるようにその幌部分１２により形成されるとともに、上記巻き回し部材は、足の関節Ａよりも上方に配するようにして、上記つま先部分と土踏まず部分との間の犬の足の関節Ａの動きを拘束する部材がない状態にし、
上記延長部分を犬の足のかかと部分に沿って湾曲させながら足首にかけて密着させ、延長部分を密着させた状態で当該巻き回し部材を足首に巻き回し固定することを特徴とする犬用履物。  
【請求項３】
前記カバーの内面には、犬の足の甲の部分と接触するための弾性突起が複数形成されていることを特徴とする請求項１又は２記載の犬用履物。
【請求項４】
前記巻き回し部材には、着脱自在な面ファスナーが設けられていることを特徴とする請求項１又は２記載の犬用履物。
【請求項５】
前記底部の後方部及び延長部分には、当該延長部分の湾曲を補助するスリットが形成されていることを特徴とする請求項１又は２記載の犬用履物。
【請求項６】
前記カバーは、ゴム製又は伸縮性を有する合成樹脂製であることを特徴とする請求項１ないし３のいずれか１項記載の犬用履物。 
【発明の詳細な説明】
【技術分野】
【０００１】
本発明は、犬の足に装着させる犬用履物に関する。
【背景技術】
【０００２】
従来、犬の足に履かせる履物としては、特許文献１（特開平１１−３２６１５号公報）、特許文献２（登録実用新案公報第３１２８２６８号公報）や、特許文献３（特許第３０８４３７４号公報）等がある。特許文献１は、天然ゴムラテックス等の浸漬成型用液体弾性材を用いて浸漬成型して得られる履物であり、人の足に対応するところのつま先部分と土踏まず部分の中途までを一体的に覆う形状となっている。特許文献２は、オーダーメイド方式で作成される犬用の履物であって、本体をその前面部分と後方部分とに分け、この両部分が前後方向に開く形状となっている。この犬用の履物を犬に装着させる際は、前記本体前面部分と本体後方部分とを前後方向に開け、この間から犬の足を挿入して履かせる。特許文献３は、人の足に対応するところのつま先部分と土踏まず部分の中途（親指（狼指）の位置）までを包み込み、面ファスナーで固定する履物であり、犬に装着させた際、つま先部分の爪が突出する形状となっている。
【０００３】
ここで、犬の足の構造について、人間の足の構造と比較して説明しておく。図１０（ａ）は、犬が４つ足で立っているときの接地部分周辺の足の状態を拡大して示した部分拡大図である。犬の足は、普通に立った状態では指や指の付け根（接地する指は一般に前後とも４本）だけで体重を支えている状態になる。通常、人の足は、普通に立った状態では、そのつま先部分（指や指の付け根）Ｔｎが地面と接するとともに、かかと部分Ｋｎも地面と接する（図１０（ｂ））。すなわち、人は、土踏まず部分Ｕｎを挟んで、つま先部分Ｔｎとかかと部分Ｋｎの２面でその体重を支える。これに対し、犬は、図１０（ａ）のように、人の足に対応するところのつま先部分（指や指の付け根）Ｔの１面のみでその体重を支え、人の足に対応するところの土踏まず部分Ｕ及びかかと部分Ｋが地面と接することなく歩行する。これは、ちょうど、人がつま先立ちで歩いている状態と一致する（図１０（ｃ））。あるいは、人の手に当てはめて説明すると、ぴったりと手のひらを付けるのではなく、指の付け根で手を折り返して体重を支えている状態と一致する（図１０（ｄ））。したがって、上記特許文献１乃至３に係る犬用の履物は、犬の足のうち、上記つま先部分Ｔから土踏まず部分Ｕの中途までを覆っている形状と言える（図１４参照）。また、これらつま先部分Ｔと土踏まず部分Ｕとの間の関節を関節Ａとし、つま先部分Ｔの地面と接地する面を接地面Ｔｂとする（図１１参照）。ここで、犬のつま先部分Ｔから土踏まず部分Ｕにかけての箇所が、あたかも人間のかかとの位置にあるように見えることから、「犬の足のかかと部分Ｋａ」と称することとし、上記人の足に対応するところのかかと部分Ｋ（以下  「実際のかかと部分Ｋ」とする）と区別する。また、この犬の足のかかと部分Ｋａよりも先端側である上記つま先部分Ｔの表面Ｔａ及び裏面Ｔｂについて、その表面Ｔａが、あたかも人間の足の甲の位置にあるように見えることから、「犬の足の甲の部分Ｔａ」と称する（図１０（ａ））。また、上記土踏まず部分Ｕが、あたかも人間の足首を含むように見えることから、この土踏まず部分Ｕを「足首」とも称することとする。なお、犬の前足を人の手と比較し、犬の後足を人の足と比較することが行われる場合があるが、本明細書中では、犬の前足も人の足と比較して説明することとする。
【特許文献１】特開平１１−３２６１５号公報
【特許文献２】登録実用新案公報第３１２８２６８号公報
【特許文献３】特許第３０８４３７４号公報
【発明の開示】
【発明が解決しようとする課題】
【０００４】
一般に、犬の外出用の履物（特に靴）は、土や埃が足に付着しないようにしたり、水溜り等で水が付いたり雨水に濡れないようにしたりすることの他、炎天下でのアスファルトやコンクリート上の歩行による焼けどの防止や、草むらやガラス破片等のある箇所で足が損傷しないようにする役割を有するものであるが、犬の活動中に装着させるものである以上、犬の自然な動き（歩いたり、走ったり、ジャンプしたり、伏せたりする動き）を阻害しないことが、その前提として求められる。ここで、犬が自然な動きを行う上で重要な条件としては、上記つま先部分Ｔと土踏まず部分Ｕとの間の関節Ａが拘束されず、開放状態になっていることが挙げられる。例えば、犬は、歩行中は、上記つま先部分Ｔのみを地面に接地させ、上記土踏まず部分Ｕ及び実際のかかと部分Ｋを地面に接地させることはない（図１１（ａ））。これは、犬が走っているときでも同様である（図１１（ｂ））。ただ、歩行中と、走行中では、前記地面と接地しない土踏まず部分Ｕ及び実際のかかと部分Ｋの地面からの距離が異なる。すなわち、歩行中では、前記土踏まず部分Ｕ及び実際のかかと部分Ｋの地面からの距離は、さほど近くない（図１１（ａ））が、これが走行中になると、地面からの反発力を得るために、地面に対し深く踏み込む必要があるため、前記土踏まず部分Ｕ及び実際のかかと部分Ｋの地面からの距離が歩行中よりも近くなる（図１１（ｂ））。更に、犬が伏せをするとき、犬の足は、そのつま先部分Ｔだけでなく、土踏まず部分Ｕ及び実際のかかと部分Ｋまでも地面に接地することになる（図１１（ｃ））。このように、犬が歩行、走行、伏せ等のさまざまな動きを連続して行うには、前記つま先部分Ｔと土踏まず部分Ｕとの間の関節Ａのダイナミックな動きを阻害しないことが肝要である。
【０００５】
しかしながら、特許文献２に係る履物は、前記犬のつま先部分Ｔから土踏まず部分Ｕの中途までを覆う形状、言い換えると、犬の足のかかと部分Ｋａの周囲をかかと部材１００（本体後方部分２）により覆う形状となっている（図１４）。これでは、例えば、犬が、歩行から伏せの動きを行おうとしたとき、かかと部材１００（本体後方部分２）がつっかえ棒のように働き、土踏まず部分Ｕが地面に近づくことが制限される。更に、特許文献２に係る履物は、つま先部分Ｔと土踏まず部分Ｕとの間の関節Ａを所定の角度で固定してしまう構造である。このため、つま先部分Ｔと土踏まず部分Ｕとの間の関節Ａが拘束され、当該関節Ａを曲げようにも曲げられず、結果、伏せを行うことが困難となる。同様の理由で、歩行から走行、走行からジャンプ、ジャンプから伏せといった動きを連続して行うことが困難となる。一方、特許文献１に係る履物は、伸縮素材を用いて犬の足のつま先部分Ｔから土踏まず部分Ｕの中途までを一体的に覆う形状となっているが、特許文献２に係る履物に比べると、伸縮性を有する分、まだ、上記関節Ａへの拘束力が小さい。しかしながら、当該履物を装着している箇所は常に履物からの収縮しようとする圧迫を受けており、その分、当該関節Ａの動きが制限を受ける恐れがある。更に、歩行の際に、犬の足のかかと部分Ｋａまで上記履物で覆われていることは、犬にとっては圧迫感のみ感じて苦痛であると考えられる。
【０００６】
また、特許文献１から２では、これを履かせる際、犬の足を固定しつつ、犬用履物の開口を広げ、足に被せる必要があるが、その間犬の前足や後足が動かないように、これを固定し続けた状態で犬用履物の装着作業を行わなければならない。特許文献３では、開口を広げるのではなく、犬の足を包み込む作業となるが、犬の前足や後足が動かないように、これを固定し続けた状態で犬用履物の装着作業を行わなければならない。しかし、これらの作業は両手を使っても容易なことではない。なお、特許文献３は、指先が露出しているので、内部に水が入り込み、靴としては衛生的ではないと考えられる。
【０００７】
そこで本発明は、履かせることが容易で、犬の動きに支障を与えない犬用履物を提供することを目的とする。
【課題を解決するための手段】
【０００８】
本発明の請求項１に係る犬用履物は、犬の足に履かせる犬用履物であって、犬の足が歩行の際に地面と接する接地面に配される底部と、この底部と一体的に設けられ、底部とともに犬の足のつま先部分のみを覆うカバーと、上記底部から延設される延長部分と、上記延長部分に連結され、犬の足首に巻き回す巻き回し部材とを備え、上記カバー２は、犬のつま先部分のみを覆うために、開口２ａが犬の足のつま先部分と土踏まず部分との間の犬の足の関節Ａを通るラインＬよりもつま先側に近い位置にあるようにその幌部分１２により形成され、上記巻き回し部材は、足の関節Ａよりも上方に配するようにして、上記つま先部分と土踏まず部分との間の犬の足の関節Ａの動きを拘束する部材がない状態にし、
上記巻き回し部材を犬の足首に巻き付けたとき、当該延長部分が犬の足のかかと部分に沿って湾曲するように装着されることを特徴とする。
本発明によれば、上記犬の足の接地面にのみ配される底部と、これと一体的に設けられるカバーにより、犬の足のつま先部分のみを覆うため、犬の足のかかと部分まで覆わなくてもよく、犬用履物を装着させる際は、例えば、片手で犬の足を押さえながら、上記つま先部分のみをはかせれば良いので、容易に犬に当該犬用履物を装着させることが可能となる。一方、上記つま先部分と土踏まず部分との間の関節の動きを拘束する部材がなく、犬のつま先部分と土踏まず部分との間の関節が拘束されず、犬の土踏まず部分が地面に近づくのを邪魔するもの（従来のかかと部材）がないため、歩行から走行・走行からジャンプ、ジャンプから伏せ等の種々の連続した動きをスムーズに行うことが可能となる。また、本発明によれば、上記底部から延設される延長部分と、上記延長部分に連結される巻き回し部材を備え、当該巻き回し部材を犬の足に連結させたとき、当該延長部分が犬の足のかかと部分に沿って湾曲するように装着されるが、つま先部分と土踏まず部分との間の関節は拘束されないので、走ったりジャンプしたりする動きをスムーズに行うことができる。また、延長部分が犬の足のかかと部分に沿って湾曲するため、当該延長部分が引きずられるといったことを防止できる。
【０００９】
本発明の請求項２に係る犬用履物は、犬の足に履かせる犬用履物であって、犬の足が歩行の際に地面と接する接地面に配される底部と、この底部と一体的に設けられ、底部とともに犬の足のつま先部分のみを覆うカバーと、上記底部から延設される延長部分と、上記カバーに連結され、犬の足首に巻き回す巻き回し部材とを備え、上記カバー２は、犬のつま先部分のみを覆うために、開口２ａが犬の足のつま先部分と土踏まず部分との間の犬の足の関節Ａを通るラインＬよりもつま先側に近い位置にあるようにその幌部分１２により形成され、上記巻き回し部材は、足の関節Ａよりも上方に配するようにして、上記つま先部分と土踏まず部分との間の犬の足の関節Ａの動きを拘束する部材がない状態にし、上記延長部分を犬の足のかかと部分に沿って湾曲させながら足首にかけて密着させ、延長部分を密着させた状態で当該巻き回し部材を足首に巻き回し固定することを特徴とする。
本発明によれば、巻き回し部材がカバーに連結され、延長部分が底部に延設され、当該延長部分を犬の足のかかと部分に沿って湾曲させながら足首にかけて密着させ、延長部分を密着させた状態で当該巻き回し部材を足首に巻き回し固定するため、当該発明の犬用履物が犬の足の甲の部分側と犬の足のかかと部分側の両サイドから犬の足に固定され、より一層、犬の足から脱げにくくなる。
【００１０】
本発明としては、前記カバーの内面に、犬の足の甲の部分と接触するための弾性突起が複数形成されていることが好ましい。
【００１１】
本発明によれば、前記カバー内面に弾性突起が形成されているために、犬の足の甲の部分が弾性突起と接触し、カバーと底部から犬の足が外れにくくなる。
【００１２】
本発明としては、前記巻き回し部材には、着脱自在な面ファスナーが設けられていることを特徴とする。また、前記巻き回し部材は、前記底部又はカバーと連結されるＴ字形状に形成され、犬の足首に巻き回す巻き回し部の一方を他方よりも長くしておき、犬の足首の太さに応じて長さをカットして使用することが好ましい。
【００１３】
本発明によれば、前記巻き回し部材の巻き回し部を足首に巻き回し、この巻き回し部を面ファスナーによって固定すれば、本発明の犬の足に対する装着感（履き心地）が良くなり、しかも外れ難くなる。また、犬の足首に巻き回す巻き回し部の一方を他方よりも長くしておき、犬の足首の太さに応じて長さをカットして使用することにより、犬の足首の太さによりいくつか準備しなくとも良くなり、又、巻き回し部材の巻き回し部の長さが犬の運動等に支障を与えることを防止することができる。
【００１４】
【００１５】
【００１６】
【００１７】
【００１８】
ここで、上記底部の後方部及び延長部分には、当該延長部分の湾曲を補助するスリットが形成されていてもよい。このように、当該底部の後方部及び延長部分にスリットが形成されていると、その柔軟性が増し、さらに湾曲させやすくなる。
【００１９】
本発明としては、前記カバーがゴム製又は伸縮性を有する合成樹脂製であることが好ましい。
【００２０】
本発明によれば、前記カバーがゴム製又は伸縮性を有する合成樹脂製であることから、装着させやすく、犬の激しい運動であってもその伸縮性で対応できる。
【発明の効果】
【００２１】
本発明によれば、犬の外出の際に足に履かせる犬用履物であって、犬の足が歩行の際に地面と接する接地面にのみ配される底部と、この底部と一体的に設けられたカバーとを主要な構成部材として、犬のつま先部分のみを覆う一方、つま先部分と土踏まず部分との間の関節の動きを制限或いは拘束する部材がないので、装着が容易で、装着後、犬の動きを妨げる心配、つまり「伏せ」や「お座り」の姿勢やジャンプの際などに人間でいうところの土踏まず部分或いはかかと部分を地面に接するように屈曲させても、従来の履物のようにこれらの犬の運動に支障を与えるようなことがなくなるとともに、犬はつま先部分に意識を集中させるので犬の健康にも良いものとなる。また、底部と一体的に設けられたカバーとを主要な構成部材とすることにより、犬の種類や大きさごとにフィットする履物を、その数を多くすることなく製造することができる。
【発明を実施するための最良の形態】
【００２２】
以下、本発明を適用した犬用履物について、図面を参照して詳細に説明する。
【００２３】
（第１の実施の形態）
本発明の第１の実施の形態は、犬の前足と後足に装着される犬用履物１であって、主に犬の外出の際に使用される。図１は、本実施の形態の犬用履物１を表す図であり、図１（ａ）は、当該履物１の側面図であり、図１（ｂ）は、当該履物１の平面図であり、図１（ｃ）は、当該履物１を分解した分解図である。また、図２は、実際に犬の足に当該履物１を装着させた状態を示す側面図である。本実施の形態の犬用履物１は、犬の足が歩行の際に地面と接する接地面Ｔｂにのみ配される底部３と、この底部３と一体的に設けられたカバー２とを備える。
【００２４】
ここで、犬の足の各部分について、もう一度先の定義を再説明する。上記で説明したように、犬は、ちょうど人間がつま先立ちとなった状態のまま歩行する（図１１（ａ））。上記では、人間の足の構造と比較し、人間の足の指及び指のつけ根Ｔｎに対応する部分をつま先部分Ｔと定義し、人間の足の土踏まず部分Ｕｎに対応する部分を土踏まず部分Ｕと定義し、人間の足のかかと部分Ｋｎに対応する部分を実際のかかと部分Ｋと定義した（図１０（ａ）、（ｂ）、（ｃ）参照）。また、これらつま先部分Ｔと土踏まず部分Ｕとの間の関節を関節Ａとし、つま先部分Ｔの地面と接地する面を接地面Ｔｂとした。更に、つま先部分Ｔの表面を、あたかも人間の甲の位置にあたることから、犬の足の甲の部分Ｔａとし、つま先部分Ｔから土踏まず部分Ｕに沿った箇所を、あたかも人間のかかとの位置にあたることから、犬の足のかかと部分Ｋａとした。図１２は、上記犬のつま先部分Ｔの接地面Ｔｂを表す図である。つま先部分Ｔの接地面Ｔｂとは、犬の足が実際に地面に接する面のことであり、主に前方の４つの指球Ｙ１と、これら指球Ｙ１の後方に位置する足底球Ｙ２の各面を合わせたものを指す（図１２）。ここで、当該足底球Ｙ２の後端Ｐから上記関節Ａ上を通るラインを、上記つま先部分Ｔと土踏まず部分Ｕの境界線Ｌとし、この境界線Ｌで上記つま先部分Ｔと土踏まず部分Ｕを区別することとする（図２（ａ））。また、境界線Ｌよりもやや上の部分を土踏まず部分Ｕのうちでも、特に犬の足首ということとする。
【００２５】
上記底部３は、人間用の履物でいうところの靴底にあたる部材である。この底部３は、犬の屋外での歩行に際し、アスファルトとの接触による磨耗や、ガラス片等を踏む恐れ等を考慮し、所定の厚みを有している。また、その材質は、クッション性、また、磨耗等への耐性を考慮し、ネオプレーン（クロロプレンゴム）、ＥＶＡ樹脂（エチレンー酢酸ビニル共重合樹脂）等から形成される。ここで、例えば、底部３を、下層から順に、ネオプレーン層、ＥＶＡ樹脂層、ネオプレーン層の３層を有するサンドイッチ構造とし、最下層のネオプレーン層の底面に滑り止めとしてエンボス加工を施せば、歩行時でのクッション性に優れ、また、すべりにくい底部３を有した犬用履物１を得ることができる。なお、底部３を上記以外の材質で形成することは任意であり、例えば、底部３とカバー２を一体物とする場合は、底部３を以下で説明するカバー２と同様の材質で形成すればよい。
【００２６】
上記底部３は、犬の足が歩行の際に地面と接する部分、すなわち、つま先部分Ｔの接地面Ｔｂのみと接するように、ほぼ楕円形状として形成される（図１２）。具体的には、底部３の略楕円形状の縦方向の長さＤ１が、前記つま先部分Ｔの指球Ｙ１の先端から、足底球Ｙ２の後端までの長さｄ１とほぼ同一か或いはわずかに大きめとなるように形成される。また、底部３の横方向の幅Ｄ２が、内側の指球Ｙ１から外側の指球Ｙ１までの幅ｄ２とほぼ同一か或いはわずかに大きめとなるように形成される。このように、底部３が犬の足のつま先部分Ｔの接地面Ｔｂの縦方向の長さとほぼ同一か或いはわずかに大きめとなるように形成される。
【００２７】
上記カバー２は、犬のつま先部分Ｔを実際に覆うことになる部材である。このカバー２は、犬の運動性を阻害しないように伸縮性を有すること、屋外での使用を想定し、防水性（撥水性）に優れていること等を考慮し、天然ゴム、シリコンゴム、ネオプレーン（クロロプレンゴム）、発砲ウレタンゴム、ＥＶＡ樹脂（エチレンー酢酸ビニル共重合樹脂）等の伸縮性を有するゴム材料あるいは合成樹脂材料から形成される。なお、底部３についても、上記カバー２と同様の素材で形成してもよい。
【００２８】
上記カバー２は、略楕円形状の底部３の上面に一体的に取付けられ、犬のつま先部分Ｔの甲の部分Ｔａを覆う幌部分１２と、幌部分１２と一体形成され、犬のつま先部分Ｔの接地面Ｔｂと直接接する平面部分１３とからなる（図１（ｂ）（ｃ））。幌部分１２及び平面部分１３は、一体物であり、開口２ａを有する袋状（或いは、スリッパの先端側の形状）のものになっている。開口２ａは、ドーム形状の幌部分１２の一部を切り欠くように形成される。ここで、開口２ａは、上方から見ると、上記平面部分１３の周縁上に両端を有する円弧として形成される（図１（ｂ））。この開口２ａの両端を端点Ｇ１，Ｇ１とし、開口２ａの最上点を頂点Ｇ２とする。このとき、開口２ａは、端点Ｇ１，Ｇ１よりも頂点Ｇ２の方がよりつま先側に近い位置にあるように形成されることが好ましい。このようにすると、開口２ａが、やや斜め上方を向くこととなり、犬の足に犬用履物１を装着させる際、犬の足を挿入しやすくなる（図２（ａ））。また、開口２ａは、上記端点Ｇ１，Ｇ１及びＧ２が、上記関節Ａを通るラインＬよりもよりつま先側に近い位置にあるように形成されることが好ましい（図２（ａ））。このようにすると、犬の動き（歩行・走行・ジャンプ等）に伴い、関節Ａを支点に土踏まず部分Ｕ及びつま先部分Ｔが動いても、この影響を受けることがなく、犬用履物１がずれたりすることがない。なお、カバー２の先端側は開けられておらず、先端側からは水が入り込むようなことがない形状になっているが、通気性を確保するために、例えば、その先端付近に通気用の孔を設けてもよく、或いは、その先端の一部をメッシュ素材で形成してもよい。
【００２９】
本実施の形態の犬用履物１によれば、上記犬の足の接地面Ｔｂにのみ配される底部３と、これと一体的に設けられるカバー２により、犬の足のつま先部分Ｔのみを覆うため、犬の足のかかと部分Ｋａまで覆わなくてもよく、犬用履物を装着させる際は、例えば、片手で犬の足を押さえながら、つま先部分Ｔのみにはかせれば良いので、容易に犬に当該犬用履物１を装着させることが可能となる。また、装着後は、犬のつま先部分Ｔと土踏まず部分Ｕとの間の関節Ａが拘束されず、犬の土踏まず部分Ｕが地面に近づくのを邪魔するもの（従来のかかと部材１００  図１４参照）がないため、歩行から走行・走行からジャンプ、ジャンプから伏せ等の種々の連続した動きをスムーズに行うことが可能となる。
【００３０】
ここで、カバー２の幌部分１２の内面には、犬の足のつま先部分Ｔの表面、すなわち、犬の足の甲の部分Ｔａに向かって突出する複数の弾性突起５が形成されていてもよい（図４）。これにより、犬に犬用履物１を装着させる際、犬の足の甲部分Ｔａに当該弾性突起５が押圧しながら接触し、当該突起５が当該つま先部分Ｔに対し復元力が働いて元の位置に戻ろうとするため抜け難くなる。
【００３１】
また、上記では、底部３をカバー２とは別に形成し、これにカバー２（の平面部分１３）を接着剤等で取付ける構成としているが、カバー２を、上記平面部分１３を設けず、幌部分１２のみとし、これを底部３に直接取付けてもよく（図３（ａ））、この幌部分１２及び底部３を一体物としてもよい（図３（ｂ））。
【００３２】
また、本犬用履物１を犬の足に装着させた際、犬の足の接地面Ｔｂに直接接触する面に粘着材を塗布してもよい。上記で言えば、カバー２が平面部分１３を有する場合（図１（ｂ）、（ｃ））には、粘着材を平面部分１３の上面に塗布し、カバー２に平面部分１３が形成されていない場合（図３（ａ），（ｂ））には、粘着材を底部３の上面に塗布する。このようにすることで、犬の足の裏との接触力を得るようにすることも可能である。
【００３３】
また、底部３の裏面に、滑り防止のためのスリット（溝）を形成してもよい。あるいは、底部３を、つま先部分Ｔの形状に合わせ、その先端に行くにつれ、底部３が反るように形成してもよい。あるいは、底部３を、その後端に行くにつれ、その厚さが薄くなるように形成してもよい。このようにすると、「伏せ」等の姿勢がとり易くなる。
【００３４】
（第２の実施の形態）
図５は、第２の実施の形態の犬用履物１を表す図であり、図５（ａ）は、当該履物１を側方から見た図であり、図５（ｂ）は、当該履物１を上方から見た図である。また、図６は、実際に犬の足に当該履物１を装着させた状態を示す図である。
【００３５】
本実施の形態の犬用履物１は、上記底部３とカバー２とが一体的に形成され、ほぼスリッパやサンダルの先端側のような形状を呈するとともに、カバー２と連結する巻き回し部材４とを備える。底部３とカバー２については、上記第１の実施の形態と同様であるので、ここでは、カバー２に連結される巻き回し部材４について説明する。この巻き回し部材４は、Ｔ字形状を呈して、カバー２の平面部分１３の後端と連結する連結部４ａと、この連結部４ａの先端に取付けられる巻き回し部４ｂを有し、この巻き回し部４ｂの両端に面ファスナーＦ，Ｆが設けられている。上記巻き回し部材４は、少なくとも巻き回し部４ｂの一方を他方よりも長くしておき、犬の足首の太さに応じて長さをカットして使用する。なお、ここでは、上記巻き回し部材４を、カバー２の平面部分１３の後端に連結すると説明したが、どこに連結するかは任意である。例えば、カバー２ではなく、直接底部３の後端に連結してもよい。また、カバー２の平面部分１３ではなく、幌部分１２に連結してもよい（図７）。この場合は、犬に犬用履物１を装着させる際、犬の足のつま先部Ｔが開口２ａに挿入しやすくなる。
【００３６】
本実施の形態の犬用履物１を犬の足に装着させる際は、犬の足のつま先部分Ｔのみを開口２ａに挿入して、前記巻き回し部材４の巻き回し部４ｂを、犬の土踏まず部分Ｕ（足首）に巻き回し、この巻き回し部４ｂの両端を面ファスナーＦ，Ｆによって固定すれば、犬用履物１の足への装着が完了する。
【００３７】
（第３の実施の形態）
本実施の形態の犬用履物２１は、図８に示すように、犬の外出の際に足に履かせる犬用履物であって、犬の足が歩行の際に地面と接する接地面に配される底部３と、この底部３と一体的に設けられ、底部３とともに犬の足のつま先部分Ｔのみを覆うカバー２と、上記底部３から延設される延長部分３Ｂと、上記延長部分３Ｂに連結され、犬の足首に巻き回す巻き回し部材４とを備え、当該巻き回し部材４を犬の足に連結させたとき、当該延長部分４が犬の足のかかと部分Ｋａに沿って湾曲するように装着される。また、上記底部３の後方部及び延長部分３Ｂには、その裏面に、当該延長部分３Ｂの湾曲を補助するスリットＳｂが横方向に形成されている。
【００３８】
ここで、犬用履物２１としては、大型犬、中型犬、小型犬とそれぞれの大きさの犬につま先部分Ｔの接地面Ｔｂの寸法に合うように、複数のサイズのものを用意し、そのサイズの中から、飼い犬にとって一番サイズの合うものを選んでもらうことになる（図１２参照）が、全ての犬の寸法に対応できるわけではなく、少し大きめのサイズのものを選ばざるを得ない場合がある。すなわち、当該犬の足のつま先部分Ｔの接地面Ｔｂの長さｄ１に対し、底部３の長さＤ１が長く、犬用履物２１を装着させた際、犬の足の接地面Ｔｂから底部３が後方にはみ出している場合である。このようなときでも、犬用履物２１を足に履かせる際には、上記延長部分３Ｂに連結された連結部４ａからの引っ張り力を受け、当該延長部分３Ｂが犬の足のかかと部分Ｋａにぴったりとフィットし、当該延長部分３Ｂが引きずられるといったことを防止できる（図８）。また、装着後、つま先部分Ｔと土踏まず部分Ｕとの間の関節Ａは拘束されないので、走ったりジャンプしたりする動きをスムーズに行うことができる。ここで、当該底部３の後方部及び延長部分３ＢにスリットＳｂが形成されていると、その柔軟性が増し、足のかかと部分Ｋａに当該延長部分３Ｂを更に湾曲してフィットさせやすくなる。
（第４の実施の形態）
本実施の形態の引用履物３１は、図９に示すように、犬の足に履かせる犬用履物３１であって、犬の足が歩行の際に地面と接する接地面Ｔｂに配される底部３と、この底部３と一体的に設けられ、底部３とともに犬の足のつま先部分Ｔのみを覆うカバー２と、上記底部３から延設される延長部分３Ｂと、上記カバー２に連結され、犬の土踏まず部分Ｕ（足首）に巻き回す巻き回し部材４とを備え、当該延長部分３Ｂを犬の足のかかと部分Ｋａに沿って湾曲させながら土踏まず部分Ｕ（足首）にかけて密着させ、当該延長部分３Ｂを密着させた状態で当該巻き回し部材４を土踏まず部分Ｕ（足首）に巻き回し固定する。また、上記底部３の後方部及び延長部分３Ｂには、その裏面に、当該延長部分３Ｂの湾曲を補助するスリットＳｂが横方向に形成されている。
【００３９】
この犬用履物３１によれば、巻き回し部材４がカバー２に連結され、延長部分３Ｂが底部３に延設され、当該延長部分３Ｂを犬の足のかかと部分Ｋａに沿って湾曲させながら土踏まず部分Ｕ（足首）にかけて密着させ、延長部分３Ｂを密着させた状態で当該巻き回し部材４の巻き回し部４ｂを土踏まず部分Ｕ（足首）に巻き回し固定するため、巻き回し部４ｂを直接延長部分３Ｂに巻きつける事になり、当該犬用履物３１が犬の足の甲の部分Ｔｂ側と犬の足のかかと部分Ｋａ側の両サイドから犬の足に固定され、当該犬用履物３１が犬の足から一層脱げにくくなる。
【００４０】
以上、本実施の形態では、靴に本発明を適用したもので説明したが、シューズやサンダル等としても適用可能である。
【００４１】
また、本実施の形態の犬用履物について、上記では、カバー２と底部３から構成されるものについて説明したが、底部３を設けず、その代わりに中敷６を敷く形状の犬用履物４１としてもよい。すなわち、カバー２２を、その内部に所定厚さの中敷６を内包できる形状とし、ここに中敷６を敷いて、犬用履物４１としてもよい（図１３）。このような構成とすると、例えば、犬が足の接地面Ｔｂに傷ややけど等を負った場合、その症状に合った薬材を染み込ませた中敷６をカバー２２内にセットすれば、犬の傷口を外部に接触させない履物としての役割だけでなく、傷ややけど等の治療用具としても適用可能となる。ここで、中敷６の材質は任意であるが、上記のように中敷６に薬剤等を染み込ませる場合は、例えば、中敷６をスポンジ等で形成すればよく、塗布材をその上面に重ねる場合は、例えば、中敷６をゴム等で形成すればよい。また、図１３では、巻き回し部材４を設けていないが、巻き回し部材４をカバー２２に設けるのは任意である。
【図面の簡単な説明】
【００４２】
【図１】本発明の第１の実施の形態の犬用履物を表す図であり、図１（ａ）は、当該履物を側方から見た側面図であり、図１（ｂ）は、当該履物を上方から見た平面図であり、図１（ｃ）は、当該履物をカバーと底部に分解した分解図である。
【図２】本実施の形態の犬用履物を実際に犬の足に装着させた状態を示す図であり、図２（ａ）は、犬が立った状態でのつま先部分周辺の部分拡大図であり、図２（ｂ）は、犬が伏せた状態でのつま先部分周辺の部分拡大図である。
【図３】本実施の形態の他の例を示す図であり、図３（ａ）は、本実施の形態の一例をカバーと底部に分解した分解図であり、図３（ｂ）は、本実施の形態の一例を示す側面図である。
【図４】上記実施の形態の犬用履物の内部構造を表した断面図である。
【図５】本発明の第２の実施の形態の犬用履物を表す図であり、図５（ａ）は、その側面図であり、図５（ｂ）は、当該履物を示す平面図である。
【図６】本実施の形態の犬用履物を実際に犬の足に装着させた状態を示す図であり、犬が立った状態でのつま先部分周辺の部分拡大図である。
【図７】本実施の形態の一例を実際に犬の足に装着させた状態を示す図であり、犬が立った状態でのつま先部分周辺の部分拡大図である。
【図８】本発明の第３の実施の形態の犬用履物を表す図であり、当該履物を実際に犬の足に装着させた際の、犬が立った状態でのつま先部分周辺を示す部分拡大図である。
【図９】本発明の第４の実施の形態の犬用履物を表す図であり、当該履物を実際に犬の足に装着させた際の、犬が立った状態でのつま先部分周辺を示す部分拡大図である。
【図１０（ａ）（ｂ）】犬の足の構造を人間の足及び手の構造と比較して表した図であり、図１０（ａ）は、犬のたった状態でのつま先部分の部分拡大図であり、図１０（ｂ）は、人が普通に立った状態での足先の部分拡大図である。
【図１０（ｃ）（ｄ）】犬の足の構造を人間の足及び手の構造と比較して表した図であり、図１０（ｃ）は、人がつま先立ちした状態での足先の部分拡大図であり、図１０（ｄ）は、人が手の平をつけずに指のみで地面と接触する状態を示す手の部分拡大図である。
【図１１】犬の足のつま先部分周辺の動きを分かりやすく示した図であり、図１１（ａ）は、犬が歩行している状態のつま先部分周辺の部分拡大図であり、図１１（ｂ）は、犬が走行やジャンプ等のために、足で地面に向かって踏み込んだときのつま先部分周辺の部分拡大図であり、図１１（ｃ）は、犬が伏せているときのつま先部分周辺の部分拡大図である。
【図１２】本実施の形態の犬用履物の底部と、犬の足の接地面との関係を表す簡略図である。
【図１３】本実施の形態の一例を示す断面図である。
【図１４】従来の犬用履物を、犬の足に装着させた状態を表す図である。
【符号の説明】
【００４３】
１    犬用履物、
２    カバー、２ａ  開口、
３    底部、３Ｂ  延長部分、
４    巻き回し部材、４ａ  連結部、４ｂ  巻き回し部、
５    弾性突起、
６    中敷、
１２  幌部分、
１３  平面部分、
２１  犬用履物、
３１  犬用履物、
Ｓｂ  スリット、  
Ｋａ  犬の足のかかと部分、
Ｔ    犬の人の足に対応するところのつま先部分、
Ｔａ  犬の足の甲の部分、Ｔｂ  犬の足の接地面
【要約】
【課題】履かせることが容易で、犬の歩行の際における犬の動きに支障を与えず、しかも犬の健康を考慮した犬用履物を提供する。  。
【解決手段】犬の外出の際に足に履かせる犬用履物１であって、犬の足が歩行の際に地面と接する接地面Ｔｂにのみ配される底部３と、この底部３と一体的に設けられたカバー２とを備え、これら底部３とカバー２により、犬の足のつま先部分Ｔのみを覆うことを特徴とする。
【選択図】  図５【図１】
0004165766.tif 000002
【図２】
0004165766.tif 000003
【図３】
0004165766.tif 000004
【図４】
0004165766.tif 000005
【図５】
0004165766.tif 000006
【図６】
0004165766.tif 000007
【図７】
0004165766.tif 000008
【図８】
0004165766.tif 000009
【図９】
0004165766.tif 000010
【図１０（ａ）（ｂ）】
0004165766.tif 000011
【図１０（ｃ）（ｄ）】
0004165766.tif 000012
【図１１】
0004165766.tif 000013
【図１２】
0004165766.tif 000014
【図１３】
0004165766.tif 000015
【図１４】
0004165766.tif 000016